Podtech/llm-jp-corpus-v4-ja_patent huggingface dataset:
(57)【要約】【課題】  身長の低い検査者でも検査者より身長の高い被検査者の身長を踏み台を使用しないで正しく読みとれる身長計を提供する。【解決手段】  身長計の尺柱における背，臀部及びかかとと接している面と反対側の面に沿って横規の取り付け部分を下向きに延ばした新横規を設け，同面を上下させることによって示す新横規の下向きに延ばした先の位置が従来の横規が示す検査結果の位置と一致するように新たな目盛りを設け，身長の低い検査者でも検査者より身長の高い被検査者の身長を踏み台を使用しないで正しく読みとれる身長計。【選択図】  図１
2005305087.tif 000002
【特許請求の範囲】
【請求項１】
身長計の尺柱における背，臀部及びかかとと接している面と反対側の面に沿って横規の取り付け部分を下向きに延ばした新横規を設け，同面を上下させることによって示す新横規の下向きに延ばした先の位置が従来の横規が示す検査結果の位置と一致するように新たな目盛りを設け，身長の低い検査者でも検査者より身長の高い被検査者の身長を踏み台を使用しないで正しく読みとれる身長計。
【発明の詳細な説明】
【技術分野】
【０００１】  本発明は，身長測定時に，身長の低い検査者が身長の高い被検査者の身長を踏み台をしないで正しく読みとれる身長計に関するものである。
【背景技術】
【０００２】  従来，身長の低い検査者が検査者より身長の高い被検査者の身長を測定する時は背伸びをしたり踏み台を使用したりしていた。
【発明の開示】
【発明が解決しようとする課題】
【０００３】  そのために，次のような問題点があった。
背伸びをして測定した時は目盛りを見間違えたり，おおよその読みとりをしたり誤差がおおかった。
踏み台を使用した時は，大概正しく読み取れるのであるが，検査者よりはるかに大きい被検査者の場合は，目盛りを見間違えたりおおよその読みとりをしたりすることもあった。また，踏み台の昇降が面倒でもあった。
本発明は以上の問題点を解決しようとするものである。
【課題を解決するための手段】
【０００４】  身長計の尺柱における背，臀部及びかかとと接している面と反対側の面に沿って横規の取り付け部分を下向きに延ばした新横規を設け，同面を上下させることによって示す新横規の下向きに延ばした先の位置が従来の横規が示す検査結果の位置と一致するように新たな目盛りを設ける。以上を特徴とする身長計である。
【発明の効果】
【０００５】  身長の低い検査者でも検査者より身長の高い被検査者の身長を，背伸びをしたり踏み台をしたりしないで正確な検査結果を読み取ることができる。
【発明を実施するための最良の形態】
【０００６】  以下，本発明の実施の形態を説明する。
（イ）尺柱（１）に目盛り１（４）と目盛り２（５）をとりつける。
（ロ）横規に，尺柱に差し込む部分（６）を設ける。
（ハ）尺柱（１）に，横規を下向きに延ばした部分（３）がついた横規（２）をとりつける。
本発明は，以上の構成よりなっている。
本発明を使用するときは，横規を上下させて使用する。例えば，横規を下向きに延ばした部分（３）が３０ｃｍあり，目盛り１の測定値を得る箇所（７）が１８０ｃｍを示していたとする。この時身長が低い測定者が正しく測定するには踏み台が必要になるが，踏み台を使用しなくても，（７）より３０ｃｍ低い位置つまり目盛り２の測定値を得る箇所（８）で読み取れば１８０ｃｍと正しく測定することができる。
【図面の簡単な説明】
【０００７】
【図１】本発明の斜視図
【図２】本発明の分解斜視図
【図３】本発明の使用状態を示す斜視図
【符号の説明】
【０００８】  １  尺柱
２  横規
３  スライド板
４  目盛り１
５  目盛り２
６  穴
７  目盛り１の測定部
８  目盛り２の測定部
【図１】
2005305087.tif 000003
【図２】
2005305087.tif 000004
【図３】
2005305087.tif 000005
(57)【要約】【目的】  この発明は、使用する場合に一本づつ取り出すことを利用して、おみくじとしての機能を付与したり、特定の宣伝媒体としての機能を付与することを目的とする。【構成】  つまようじの側面あるいは上面に図１の２〜６に示したような、文字による文言もしくは色、記号を付ける事を特徴とする。これらのつまようじは、一本づつ取り出すようになっているつまようじ容器に入れることにより、おみくじ的な機能を付与したり、複数のつまようじに同じ内容を記載することにより、宣伝媒体として機能する。【選択図】  図１
2005305088.tif 000002
【特許請求の範囲】
【請求項１】
つまようじに  文字  或いは  記号  が記入してあることを特徴とする。
【請求項２】
記号を記入している場合は、その記号の意味が記載されたカードが同梱されていることを特徴とする。
【発明の詳細な説明】
【発明の詳細な説明】
【産業上の利用分野】
【０００１】通常のつまようじの機能に加えて、使用する場合に一本づつ取り出すことを利用して、おみくじとしての機能を付与したり、特定の宣伝媒体としての機能を付与することを目的とする。
【背景技術】
【０００２】一般につまようじは、食後歯間に挟まった食物の残さを除去するのに使用されたり、小分けされた果物、菓子等を口に運ぶ為に使用されている。このとき、多くの場合にはつまようじは専用のつまようじ入れに保管され、使用する人が必要に応じて取り出し、使用済みとなったら、単純に廃棄するだけだった。
【発明が解決しようとする課題点】
【０００３】本発明は、このつまようじを取り出すという単純な行為に、一定の楽しみを付与すること、あるいは特定の情報を付加する事を目的とする。
【課題を解決するための手段】
【０００４】具体的方法としては、つまようじの側面あるいは上面に文字による文言もしくは色、記号を付ける事を特徴とする。
この文字や記号は、焼きごてもしくは、工業用レーザーを使用して焼き付けてあったり、食用の色素で印字してあり、口に入れても、無害なように配慮されている。
ここでつまようじに記入されている文字の内容はおみくじだったり、格言や人生訓、或いは特定の店の広告だったり、電話番号の場合もある。また文字でなく色や記号を付けている場合にはそれぞれの色や記号に対する意味づけの一覧表をつまようじのケースに貼付出来る様にシールを用意しておく場合もある。
以上の処理を施されてつまようじを使用することにより、使用者にとっては、つまようじを取り出すという単純な行為が、どのようなつまようじが出てくるのか新たに期待するようにとって替えることが出来る。
【作用】
【０００５】各つまようじの側面もしくは先の丸まっている側の端部に文字、あるいは記号を付与する。その内容は、おみくじ、人生の格言、川柳、店の広告、販促の景品などがある。使用者がつまようじの容器から、このつまようじを取り出すと、先述の文字を必然的に確認することとなる。使用する場所、場面に応じて適当なセットを用意しておくことにより、つまようじを使用する者に対して、付加的な楽しみを与えることが出来るようになる。
【実施例】
【０００６】本つまようじの使用実施例としては以下の様な物が有る。
１；朝食のテーブルにおみくじ版のつまようじセットを置いておくことにより、今日の運勢を占ってみることが出来る。
２；飲食店のテーブルにくじ付き版のつまようじセットを置いておくことにより、一緒に食事をした仲間同士で、誰のおごりにするのかを、決めることが出来る。
３；社員食堂のテーブルに川柳付き版のつまようじセットを置いておくことにより、同僚との食事後の話題の種となる。
４；自社の店名、或いは電話番号付き版のつまようじセットを街頭で通行人に配布することにより、自社の宣伝、商品の販売促進の手段とすることが出来る。
【発明の効果】
【０００７】１；親しい友人、同僚との食後の話題が、このつまようじを各人が使用することにより、従来に比較して会話が盛り上がる効果がある。
２；また一人で食事を終えた場合でも、川柳や格言の書かれたつまようじを使用することにより、心に潤いや余裕を持つことが出来る。
３；販促用に街頭で配布される品物としてはティッシュペーパー等が良く知られているが、受け取った人間は、広告等が記入されているティッシュの包装にはあまり注目せずに、中身のみを使い切ってしまおうとするが、本つまようじの文字は小さく、かつその記入されている文字が、つまようじ１本ごとに異なっている場合もあるため、使用者はその文字を目を凝らして見ようとする傾向が強く、宣伝の有効性は高い。
４；またティッシュは数回使用すると、中身が無くなってしまい、広告の書かれた包装はその時点で捨てられてしまうが、本つまようじの場合は、食事の度に数本使用したとしても、つまようじが全部なくなるまでには、ティッシュに比較して長い期間、使用者の手元に置いておかれるため、宣伝媒体としての効果は相対的に大きい。
【図面の簡単な説明】
【図１】  つまようじの例
【図２】  つまようじを容器から取り出したところ
【符号の説明】
１は従来のつまようじ（文字、記号は書かれていない）
２は電話番号を記入した例
３はおみくじを記入した例
４は店名を記入した例
５はくじを記入した例
６は格言を記入した例
７は容器からつまようじを１本取り出したところ
８はつまようじ容器のふた
９はまようじ容器
【図１】
2005305088.tif 000003
【図２】
2005305088.tif 000004
(57)【要約】【課題】竹刀を持ち運びする時に使用する袋は、袋の上部に鍔を入れて折り返し、縫いつけられた紐で結ぶものであった。しかし、小さい子供では結びにくい。大人が使用するときでも、紐の生地によっては、結んでもすべってほどけてしまうときがあった。また、紐が縫い付けてあったため、紐が消耗しても取替えがきかなかった。【解決手段】紐（２）に紐止め具（４）を付けて、結ばずに絞り込むことで、動作を容易迅速にし、ほどけないようにする。紐（２）を袋本体（１）に開けた２つの穴（６）を通して取り付け、紐（２）の交換を自由にできるようにする。以上の発明によっても、鍔入れ部分（５）や竹刀挿入口（３）は従来の商品と変わりなく、袋の形態や美観が複雑になることはない。【選択図】図２
2005305082.tif 000002
【特許請求の範囲】
【請求項１】
袋本体（１）の上部鍔入れ部分（５）から下の側面に開いた竹刀挿入口（３）より竹刀を挿入し、紐止め具（４）を通した紐（２）で、折り返し部分（７）と袋本体（１）とを絞ることを特徴とする竹刀袋。
【請求項２】
前記の紐（２）は、袋本体（１）の折り返し部分（７）の表片面の鍔入れ部分（５）より下に開けた２つの穴（６）を通すことで袋本体に取り付けられていることを特徴とする請求項１記載の竹刀袋。
【発明の詳細な説明】
【技術分野】
【０００１】  この発明は、竹刀を持ち運びするときに用いる袋に関する。
【背景技術】
【０００２】  従来の竹刀袋は図５と図６で示すように、側面に竹刀挿入口（３）を設け、上部の折り返し部分（７）を袋本体（１）に縫い付けられた紐（２）で縛って結ぶ物である。この時、竹刀につける鍔は折り返し部（７）の最上部の鍔入れ部分（５）に収納する。または、上端を開口させ竹刀挿入口とし、蓋片を縫着したものやファスナーで開け閉めするものもある。
【発明の開示】
【発明が解決しようとする課題】
【０００３】  しかしながら、以上の技術によれば、ちょうちょ結び出来ない子供は丸結びになり使用しにくい。紐の布の生地によってはすべってほどける時がある。また、消耗の激しい紐部分が縫いつけてあるので、取替えることが困難である。
上端を開口する技術では、蓋片と鍔入れ部分を何らかの形で袋本体に施す必要があり、袋本体の形状が複雑になる。
そこで、この発明は、袋上部に鍔を収納し折り返す従来の簡単な袋本体の形状で、容易迅速に紐が縛れ、ほどけないようにできる。また、今までできなかった紐の交換ができるようになされたものである。
【課題を解決するための手段】
【０００４】  以上の課題を解決するために、第一発明は、紐（２）に紐止め具（４）をとりつける。
第二発明は、袋本体（１）の折り返し部分（７）の表片面に開けた２つの穴（６）に紐（２）をとうして、袋本体（１）に紐を取り付けることである。
【発明の効果】
【０００５】  第一発明よれば、紐（２）を結ばなくても折り返し部分（７）と袋本体（１）がしぼりこまれ、ほどけることがない。第二発明によれば、紐（２）が消耗したときに自由に取替えることができ、紐の長さも調整できる。
【発明を実施するための最良の形態】
【０００６】  この発明の竹刀袋の上部の紐で絞る部位を、図１と図２に示す。
（イ）  袋本体（１）は細長の長方形であるが、上部鍔入れ部分（５）より下の側部に竹刀挿入口（３）を施す。
（ロ）  片面の折り返し部分（７）の鍔入れ部分（５）より下に２つの穴（６）を開ける。
（ハ）  穴（６）に紐（２）を通して、袋本体（１）に取り付ける。
（ニ）  紐（２）に紐止め具（４）を取り付け、その移動で紐（２）を縛ったり、ほどいたりする。
折り返し部（７）を縛ったあとの形を図３（ウラ）と図４（オモテ）に示す。【０００７】「実施形態の効果」
この実施形態によれば、紐留め具（４）の移動で紐（２）を容易迅速に絞りこめる。紐の縫いつけが無い為、紐（２）の交換が自由に行える。【０００８】「他の実施形態」
この発明の実施形態では、紐（２）の着装が２つの穴（６）だったが、他の実施形態では、紐通しの布を袋本体に縫い付けたものでもよい。
【図面の簡単な説明】
【図１】  本発明の竹刀袋の上部斜視図
【図２】  図１の折り返し部の表図
【図３】  折り返し部を紐でしぼった図
【図４】  図３の反対面の図
【図５】  従来の製品の上部斜視図
【図６】  従来の製品の紐で結んだ図
【符号の説明】
（１）袋本体  （２）紐  （３）竹刀挿入口  （４）紐止め具  （５）鍔いれ部分  （６）穴  （７）折り返し部分
【図１】
2005305082.tif 000003
【図２】
2005305082.tif 000004
【図３】
2005305082.tif 000005
【図４】
2005305082.tif 000006
【図５】
2005305082.tif 000007
【図６】
2005305082.tif 000008
(57)【要約】      （修正有）【課題】焦げ付きにくい鍋を提供する。これによりカレーなどこげやすい料理に、つきっきりでかき混ぜなくともよく、少し余裕が出来ます。【解決手段】鍋の内側、底にカーボンをコーティングする。【選択図】  図１
2005305089.tif 000002
【特許請求の範囲】
【請求項１】
鍋の内側・底から３〜５ｃｍ位までカーボンをコーティングした鍋、大きな鍋でも寸洞でも５ｃｍ位まで
【発明の詳細な説明】
【発明の詳細な説明】
鍋の内側、底に厚さ３ｍｍ〜５ｍｍ位のカーボンをコーティングし、高さ小さな鍋で３ｃｍ大きな鍋でも５ｃｍ位迄、カーボンは熱を通しづらいので底だけ急に熱くならない。
【図面の簡単な説明】  〔図１〕    鍋の断面図
【符号の説明】
▲１▼  鍋
▲２▼  カーボン
▲３▼  高さ（カーボン）
▲４▼  厚さ（カーボン）
【図１】
2005305089.tif 000003
(57)【要約】      （修正有）【解決手段】毛ブラシの形状を円球状にして、取っ手を取り外し、口に含ませる様にした。【効果】どんな時にも、他の事をしながらでも手を使わずに、自分でどこでも歯磨きが行える。【選択図】図１
2005305086.tif 000002
【特許請求の範囲】
【請求項１】
取っ手のない毛球状の円形歯プラシで、そのまま口の中に入れ、口の中を転がしたり移動せて使用するための歯ブラシ。
【発明の詳細な説明】
【発明の詳細な説明】
この歯ブラシは、球状の芯部分（符号１）全体に毛ブラシ（符号２）を植え付け、円球状にした歯ブラシである。口の中に入れて舌や頬で転がす事により、簡単に歯磨きや歯間の掃除、歯茎のマッサージ、舌の汚れの除去などを行う目的としたものである。煩わしい取っ手が無いため、口の奥まで毛ブラシがくまなく届き、歯磨き、清潔保持ができるようにしたものです。手を使わないため、多忙な方にも手を汚さず歯磨きが行え、感染の起こり易い口内の清潔保持に役立ちます。自分で歯磨きのできない老人や、歯磨きの嫌いな子供の口内の衛生管理にも他人の手を煩わさないため、感染症対策や、適度の刺激による歯槽膿漏や口臭の予防、虫歯予防などの衛生管理に便利です。どんなときにも手軽に使用でき、舌や頬を動かすことにより唾液の増加や脳の活性化も図れます。
【図面の簡単な説明】
【図１】本発明の正面及び左右側面、上面、底面、背面の各々の断面図である。
【符号の説明】
１は芯の部分である。  ２は毛ブラシ部分である。
【図１】
2005305086.tif 000003
(57)【要約】 【課題】丸太の運動器具を用い浴槽内で筋力を強め皮下脂肪の除去の効果を得る。又、丸太を使用することで、癒しの効果をも持つ。              【解決手段】木製丸太で作製された運動器具を使用することにより、図４〜図８の状態で、腕、足、腹を上下、前後と動かすことで、船を漕ぐような遊びの感覚で、楽しみながら筋肉の強化を計り、皮下脂肪を燃焼させ又腹式呼吸を促し、痩身効果を得る。また木製器具であるためリラックスでき、毎日、日課となっている入浴時間に、運動器具を使用し、継続できる状態とする。【選択図】  図４
2005305018.tif 000002
【特許請求の範囲】
【請求項１】
木製の丸太を腕、足、腹筋を使って動かす形態に作製し浴槽内で日常的に、運動時間を組み込むことにより、筋力アップや温熱効果で代謝を増し、さらに複式呼吸を促すことで、脂肪を燃焼できダイエットを可能とし、木肌の感触で安らぎをも感じられる運動器具。
【発明の詳細な説明】
【技術分野】
【０００１】
本発明は、入浴時に浴槽内で使用することにより、腹筋及び手足の筋力を強めることで、温熱効果と共に、腹式呼吸も伴い、痩身効果を生ずる運動器具に関するものである。
【背景技術】
【０００２】
従来の痩身器具は、大掛りな器具や持ち運びが困難な器具、あるいは電気を使用したりで、いざ毎日運動するとなると場所や時間を選ばなければならず、運動効果を生じることがなかなか出来ない。
【発明の開示】
【発明が解決しようとする課題】
【０００３】
風呂の入浴時に、手軽に運動を継続できる器具が他にないという問題があった。運動して筋力を強め、そして痩身したい人が継続して時間を作ることがなかなか出来ず運動不足となり、脂肪がつき肥満になりやすい。
【課題を解決するための手段】
【０００４】
毎日の生活において一定時間帯の入浴時に、運動を組み込まれる簡単な器具である。風呂の湯の浮力を上手く利用し、さらに風呂の中に入れても安全な木製である。
自然素材を使用することにより、見た目などからも、くつろぎや安らぎを感じることができると同時に、香りや感触などからも癒されることができる丸太を使用している。
【発明の効果】
【０００５】
この運動器具が風呂の中で、手軽に使用できることにより、風呂に入れば運動できるという定着した習慣や時間がもてる。運動不足解消の１つとなると同時に継続することにより腕や足、腹筋の筋力アップ、ならびにシェイプアップができ温熱効果で代謝があがりやすく血液循環もよくなり疲労物質の乳酸菌が減少することで脂肪をつきにくくする。またこの器具により腹式呼吸を促すことでも、ダイエットが可能となる。
漕げるような形であることで、アウトドア的に船を漕ぐという疑似体験により得られる楽しみをも暮らしの中に、しかも入浴中に取り入れられる運動器具である。
【発明を実施するための最良の形態】
【０００６】
本発明は、木製の丸太、二本の両端を布製ベルトで繋いだものである。
なお、丸太の中央部分は手で握りやすい太さに削ってある。ベルト取り付け部分も取っ手を付け、ベルトが使用中に外れない形としている。またベルトは取り外しでき、長さを調節できるようにボタンホールを設けている。
【実施例】
【０００７】
図１は手で握る部分と足を乗せる部分とを細くし、両端の厚みの部分で浮力の力を大きくする。二本の丸太の両端に、布製ベルトを繋ぐために取手が出ている。図４は１の部分に足を入れて固定し、２の部分を手で持ち前後、上下に動かす。図５は１を足で支えて２を手で持って引く、身体を前後に動かし懸垂運動する。図６はひざの内側に当て、他の１本を足の裏に当て上下運動する。図７はベルトを外し、自由な運動ができる。図８は１，2の間にお尻を乗せ半身浴をする。
【産業上の利用可能性】
【０００８】
風呂の中での使用により、身体に無理なく運動ができるのでリハビリなど、  医療部門でも効果が期待できる。また、水中ウォーク時にもロープを外し、両サイドに持ち歩くことにより負荷が掛かり運動効果が増すので、プール中でも運動器具として適用できる。
【図面の簡単な説明】
【０００９】
【図１】風呂用運動器具の平面図である。
【図２】風呂用運動器具の側面図である。
【図３】風呂用運動器具の側面図である。
【図４】風呂用運動器具の使用状態を示す説明図である。
【図５】風呂用運動器具の使用状態を示す説明図である。
【図６】風呂用運動器具の使用状態を示す説明図である。
【図７】風呂用運動器具の使用状態を示す説明図である。
【図８】風呂用運動器具の使用状態を示す説明図である。
【図９】風呂用運動器具のベルトの平面図である。
【図１０】風呂用運動器具のベルトの側面図である。
【符号の説明】
【００１０】
１  手・足をかける部分
２  手・足をかける部分
３  浮力・負荷部分
４  ベルトの取り付け部分
５  ベルト取り付け状態
６  ベルトのボタンホール
７  ベルトのボタン
【図１】
2005305018.tif 000003
【図２】
2005305018.tif 000004
【図３】
2005305018.tif 000005
【図４】
2005305018.tif 000006
【図５】
2005305018.tif 000007
【図６】
2005305018.tif 000008
【図７】
2005305018.tif 000009
【図８】
2005305018.tif 000010
【図９】
2005305018.tif 000011
【図１０】
2005305018.tif 000012
(57)【要約】【課題】  書籍の増減や設置場所にあわせて、自由に幅を調整出来、希望の位置に、希望の枚数の仕切り板をしっかり固定でき又は仕切り板を自由に移動しやすい、分解持ち運びの便利な本立て。【解決手段】  ２枚以上の底板がお互いにスムースに左右にスライドし、各々の底板には同ピッチ、同型のスリットが刻んであり、背もたれレールにも底板と同ピッチのスリットが刻まれ、底板をスライドさせた時、お互いのスリットの位置が同期する本立て。【選択図】  図  １
2005305055.tif 000002
【特許請求の範囲】
【請求項１】
２枚以上の底板はお互いにスムースに左右にスライドし、各々の底板には同ピッチ、同型のスリットが複数個刻んであり、背もたれレールにも、底板と同ピッチのスリットが刻まれ、底板をスライドさせたとき、お互いのスリットの位置が同期する本立て。
【発明の詳細な説明】
【技術分野】
【０００１】本発明は、幅と仕切り板の位置が簡単に変えられる本立てに関するものである。
【技術背景】
【０００２】従来の本立で、その幅や仕切板の位置を調節できるものは沢山あるが、代表的なものととしては、下記のものがある。
【０００３】    図６、図７、図８（実登３００５６０４）などがある。
【発明の開示】
【発明が解決しようとする課題】
【０００４】従来の最もポピュラーな、図６の本立ては配置がずれやすく（特に片側に負荷が大きい場合）また、向きが一定せず書籍の出し入れが不便である。また下部の安定板が邪魔で間隔も思うようには狭く調整できない。  図７の本立ては仕切板の増減は困難で、間隔の調整は入っている書籍の底部を引きずって損傷の恐れがあり、また嵩張っていて持ち運びも不便である。図８（実登３００５６０４）も仕切り板の増減は不便であり、間隔調整には書籍の底部を引きずり損傷の恐れがある。本発明はこれらの問題点を解決するためになされたものである。
【課題を解決するための手段】
【０００５】２枚以上の底板はお互いにスムースにスライドし、各々の底板には同ピッチ、同型のスリットが複数個刻んであり、背もたれレールにも、底板と同じピッチのスリットが刻まれ、底板をスライドさせたとき、お互いのスリットの位置が同期する本立て。
【発明の効果】
【０００６】本立ての幅は、底板（１）と底板（２）を左右にスライドさせ、スリットの位置の合った底板スリット（１１）に仕切板固定足（１０Ａ，１０Ｂ）を挿入して位置を固定することにより自由に決められる。仕切板（３）も、希望の枚数を底板と背もたれレールの各各のスリットに挿入することにより増減可能。また書籍を移動しなくても仕切板の位置を変更できる。仕切板は３点（１０Ａ，１０Ｂ，１３）で固定されているので片側荷重でも安定している。またこれらの各パーツは取り外しが可能で持ち運びが容易である。
【発明を実施するための最良の形態】
【０００７】本発明の本立ての構造は、図２の展開図のようなスリットをパンチングした金属板（アルミ、ステンレス板、スチール板等）の斜線部を９０度下に折り曲げた構造の複数枚の底板を持ちスリットの幅と長さは仕切板固定足（１０Ａ，１０Ｂ）のサイズと合わせる。背もたれレールスリット（１２）のピッチは底板スリット（１１）と同じである。  背もたれレール支持（６）は取り外し可能とし、そのレール支柱ベイスプレート（１４）の裏には安定性を上げるため底板スリット（１１）に挿入できるレール支柱ストッパー（１５）をつける。側板や背もたれレールを取り付ける側板固定支柱（７）は底板下部にねじ止めとし、側板（８）も側板固定ピース（９）を用いて底板に固定し、取り外しが可能とする。側板（８）は側板固定ピース（９）で底板（１）、底板（２）と側板固定支柱（７）に固定する。
本発明を使用するときは、底板（１）と底板（２）をスライドさせ希望の幅に調節する。
側板（８）固定用の側板固定支柱（７）を底板にねじ止めで固定する。背もたれレール（４）、背もたれレール（５）を背もたれレール支柱（６）で固定する。
仕切板（３）は仕切板固定足（１０Ａ，１０Ｂ）を希望の位置の底板スリット（１１）に挿入し、同時に背もたれレールスリット（１２）に仕切板固定ストッパー（１３）を固定する書籍棚等両サイドに書籍が倒れる恐れがないときは側板を使用しなくてもよい。
【図面の簡単な説明】
【０００８】
【図１】本発明の斜視図
【図２】本発明の底板の説明図
【図３】本発明の正面の一部断面図
【図４】本発明の仕切板取付け側面の一部断面図
【図５】本発明の側板取り付け正面の一部断面図
【図６】従来の本立て実施例図
【図７】従来の本立て実施例図
【図８】従来の本立て実施例図
【符号の説明】
【０００９】      １    底板
２    底板
３    仕切板
４    背もたれレール
５    背もたれレール
６    背もたれレール支柱
７    側板固定支柱
８    側板
９    側板固定ピース
１０Ａ  仕切板固定足
１０Ｂ  仕切板固定足
１１  底板スリット
１２  背もたれレールスリット
１３  仕切板固定ストッパー
１４  レール支柱ベースプレート
１５  レール支柱ストッパー
【図１】
2005305055.tif 000003
【図２】
2005305055.tif 000004
【図３】
2005305055.tif 000005
【図４】
2005305055.tif 000006
【図５】
2005305055.tif 000007
【図６】
2005305055.tif 000008
【図７】
2005305055.tif 000009
【図８】
2005305055.tif 000010
(57)【要約】【課題】家具の自重で、転倒を防止する家具転倒防止具を提供する。【解決手段】一端に紐体５を繋着した中空軸２の先端に、調整具３を係止した摺動軸１を挿入し、その摺動軸１と敷具４の適宜位置を軸着する。【選択図】  図１
2005305053.tif 000002
【特許請求の範囲】
【請求項１】
一端に紐体５を繋着した中空軸２に、先端に調整具３を係止した摺動軸１を挿入し、その摺動軸１と敷具４の適宜位置を軸着した家具転倒防止具。
【発明の詳細な説明】
【技術分野】
【０００１】  本発明は、家具を載置し、紐体を家具天板に止める家具転倒防止具に関する。
【背景技術】
【０００２】  従来、地震に備えての家具転倒防止対策として天井と家具間に、上置型隙間埋めユニットや、突っ張り棒を設置したり、壁と家具を金具で止めたり、チェーンを張設していた。
【発明の開示】
【発明が解決しようとする課題】
【０００３】  ところが、上記家具転倒防止対策の上置型隙間埋めユニット設置の場合は、隙間を埋める高さ調整が難しく、又、段重ねとなるため上置型隙間埋めユニットがすべり落ちる危険もあった。突っ張り棒の場合は、天井の強度が問題となり、しっかりした天井の場合でも家具と天井の隙間が少なく、奥行きのある家具でないと大きな効果が期待出来なかった。金具やチェーンを使用の場合は壁に穴をあけなければならず、又、壁の中にある間柱を探すのが大変であり、壁の種類によっては金具の使用が出来ないこともあった。【０００４】  本発明は、斯かる事情に鑑みてなされたもので、従来の前記問題を一挙に解決することが出来る家具転倒防止具を提供することを目的とする。
【課題を解決するための手段】
【０００５】  前記目的を達成するために、本発明は一端に紐体を繋着した中空軸に、先端に調整具を係止した摺動軸を挿入し、その摺動軸と敷具の適宜位置を軸着している。【０００６】  この特徴によれば、一端に紐体を繋着した中空軸に摺動軸が挿入されている。この摺動軸の先端には高さ調整が出来る調整具が係止され、その調整具の位置より後方の位置で摺動軸が敷具先部に軸着されている。このため、中空軸に繋着した紐体を引き上げると摺動軸の先端に係止されている調整具が床面を押圧し、敷具の先端が持ち上げられる。
【発明の効果】
【０００７】  以上のように本発明によれば、家具両側に対向に設置した家具転倒防止具に家具を載置し、調整具を中空軸の後方が床面方向に傾斜するように調整し、紐体を中空軸が略水平となる方向に引き上げ家具天板に止める。【０００８】  これにより摺動軸先端に係止している調整具が床を押圧し、敷具先端が持ち上げられ、家具前面が持ち上がって常に壁側に傾いている状態になっている。【０００９】  又、この状態では、敷具の先端は家具の重さで常に下方に力が働き、中空軸の後方が床面に傾斜する方向に力が働き紐体が張っている。【００１０】  このため、家具が前方に倒れる力が働くと、家具壁側の下面が上がろうとする。このため紐体が更に張力を増し、この力が中空軸を介して調整具に伝わり調整具の床面の押圧が大きくなる。この力が敷具の先端を持ち上げ家具前面が持ち上がる。このため家具の前方に傾く力を押さえ前倒を防ぐ。又、摺動軸先端に係止している調整具には常に力が加わっているため、滑り止めの効果もある。この家具転倒防止具に摩擦力の大きい具材を粘着すると更に滑り止めの効果が大きくなる。【００１１】  紐体の固定は家具天板とは限らず、側面でも背面でも良い。又、家具が壁側に傾いた状態で紐体を固定し、常に紐体固定部に力を加えなくても、家具が垂直状態で紐体を固定しても良い。【００１２】紐体の張力が弱くても家具が前方に傾くとき、軌道半径が変わり、半径が長くなるから紐体の張力が変化し、家具の一定以上の傾きを押える。【００１３】  このように本発明の家具転倒防止具は、対向に家具に敷設し、自重で前に倒れることを防ぐもので、壁の中の間柱を探す面倒もなく、壁や床に傷をつけず、天井の強度を心配することもなく、安全で安心な家具転倒防止具を提供することが出来る。【００１４】  尚、本発明の「紐体」とは、紐状の物は勿論のこと、帯状の物やロープ類も含み、材質を問うものではない。又、「家具」とは棚類や入れ物具も含まれる。
【発明を実施するための最良の形態】
【００１５】  本発明の実施の形態を添付図面に例示した本発明の実施に基づいて以下に具体的に説明する。【００１６】  添付図面において、図１は本発明の一実施例に係る家具転倒防止具の一例を示す斜視図である。【００１７】  家具両側に敷設される本発明の家具転倒防止具は，後端に紐体５を繋着した中空軸２と、その中空軸２に挿入する先端に調整具３を係止した摺動軸１と摺動軸１を軸着する敷具４より構成される。【００１８】  摺動軸１は上面を一部平面状に切削し、先端に調整具３を係止し、その調整具３より後方に位置して敷具４の先端方向に軸着している。【００１９】  調整具３は接地板ｃに螺刻軸ａを固着し、雌ネジｂを螺入し、その上に中空支柱ｄが嵌挿され、雌ネジｂにて高さ調整を行う。【００２０】  中空軸２には摺動軸１が挿入されボルトの螺入により回転及び滑りを防いでいる。後方はＬ型状になっており、紐体５が繋着され紐体５が家具の背面に位置している。【００２１】  図２は家具転倒防止具に家具６（二点鎖線部）を載置した状態を示す斜視図で、対向する家具転倒防止具に載置された家具６は中空軸を持ち上げて紐体を固定しているため、前面が持ち上げられた状態で、常に紐体５は張力をもっている。中空軸と床面間を保つ保持脚（図示せず）を中空軸に固着すると紐体固定部の力を緩和し、紐体の長期間の張力に対する伸びを防ぐ。【００２２】  以上のような構造であるため、地震で家具が前傾する力が働くと紐体５が中空軸２を引き上げ、調整具３が床面を更に押圧し敷具４の先端が持ち上げられる。このため家具の前面が上がり、転倒を防止することが出来る。
【図面の簡単な説明】
【００２３】
【図１】本発明の片方を示す斜視図
【図２】本発明の家具を載置した状態を示す斜視図
【符号の説明】
【００２４】１．．．．．摺動軸
２．．．．．中空軸
３．．．．．調整具
４．．．．．敷具
５．．．．．紐体
６．．．．．家具
【図１】
2005305053.tif 000003
【図２】
2005305053.tif 000004
(57)【要約】【課題】  単純な構成で製造も簡単で且つ安価な、ペーパーケースを容易に吊着できるペーパーケースホルダーを提供する。【解決手段】  渦巻き形に加工した支持部１の重心位置より軸４を軸支しその先端トップに鈎形フック状の掛止部２又は吸盤３を設ける。【選択図】    図１
2005305054.tif 000002
【特許請求の範囲】
【請求項１】
ペーパーケースを支える渦巻き形に加工した支持基材１の重心位置に軸４を軸支し、その先端に掛止装置であるフック状掛止部２又は吸盤３を設けたもの。
【請求項２】
請求項１に記載の支持基材１は渦巻き形のみならず円形や多角形の形状であることを妨げず先端が入る程度の小さな開口部があれば先端を差込み基材に沿って回転させながら支持部全体を挿着できることを特徴とするペーパーケースホルダーである。
【発明の詳細な説明】
【技術分野】
【０００１】  本発明はティッシュケースやキッチンペーパーケース等を取付けるために使用するペーパーケースホルダーに関するものである。
【背景技術】
【０００２】  従来は細長いマグネットシートをケース裏側に装着し冷蔵庫等に貼付けたり、ケースを押える支持部材を予め壁等に設置しておきケースをセットして取付けるものなどがある（例えば、特許文献１、２参照）。
【特許文献１】特開平７−１０００８０号公報
【特許文献２】特開２００３−１１２７８７号公報
【発明の開示】
【発明が解決しようとする課題】
【０００３】  予め壁等に取付け部材を定着し、その位置にティシュケースを取付ける場合には取付け部材を設置する壁等の材質が木質系や石膏ボード等には適しているがキッチン流しの食器棚下のポールやネット状の棚には取付け不可能でありタイル面等にも不向きである。又固定されているため定型サイズ以外のものや紙以外の例えばビニール包装のペーパーケースには対応できない。また使用しない時は壁等に取付け部材が残り邪魔であり不要になった時はビス穴や接着剤が残ってしまい後の処理に困る。マグネット式のものは取付ける材質がスチールに限定されてしまうという欠点があった。本発明は上記問題点を解決し簡単な構造で安価なペーパーケースホルダーを提供することを目的としている。
【課題を解決するための手段】
【０００４】  ペーパーケース等を支える渦巻き形の支持基材１及び１ａは金属や樹脂材等で渦巻き形又は円形、多角形に加工し中心は外形面積の重心に位置する。中心部分より軸４を軸支し、その先端に鈎形のフック状掛止部２又は吸盤３を設ける。支持基材はペーパーが絡みにくいよう特に先端はアールをつけるなど滑らかに処理をする。
【発明の効果】
【０００５】  ペーパーケースホルダーはペーパーケース底面に支持基材の先端が入るほどの小さな孔を空ければ大きな面積を持った支持部分を挿着することができるので吊下げた場合、通常ペーパーケースの負担がかかるのは孔部分であるが支持基材の外形面積全体に加重を分散することができるのでケースを壊れにくくし安定させる。又ケース材質も紙に限定せずビニール袋のものにも対応することができる。また従来のように予め部材を取付けておく必要がないので棚等の材質を選ばず外した時ビス穴や接着剤の処理に困ることがない。鈎状フックの掛止部を用いれば従来取付け不能であったキッチン流しのパイプ棚やネット状の棚の場合でも取付け可能となる。又台所等の水廻りでの使用時は逆さに吊るすことにより濡れた手で使用する時も水滴がケースに落ちないし最後まで取り出しやすいので便利である。単純な構造なので製造が簡易であり安価で提供できる。
【発明の実施するための最良の形態】
【０００６】  以下本発明に係るペーパーケースホルダーの実施形態について添付した図面を参照して詳細に説明する。基材を金属、樹脂材等で渦巻き形に加工した支持基材１又は１ａの形成する面の重心を中心点としこの部分にフック状掛止部２又は吸盤３を支持する軸４を軸支するものだが支持基材１の形状に関しては渦巻き形以外の円形や多角形であることを妨げない。基材断面は用途に応じて１ａのような薄い平型にすると有効である。又支持基材は滑りやすいよう平滑にし特に先端はアールをつけるなどペーパーが絡みにくいよう加工する。支持基材１、１ａ等とフック状掛止部２及び吸盤３を接続する軸４は回転自在に軸支するが一体成型とすることも妨げない。又其々の部材は自由な組合せにて用いる。本発明は以上のような構成で、これを使用する時はペーパーケース底部分の任意の場所に孔を開けるが、市販されている一部のティッシュケースには予めマグネット用の孔が空けられるようになっているのでその部分に支持基材１、１ａの先端を差込み支持基材に沿って回転させながら中心部分まで挿着する。吸盤３の場合は戸棚内の棚下やテーブル下のデットスペース等に、又は加工がしにくいガラス、タイル面などに取付けフック状掛止部２はパイプやネット状の部分に吊着する。
【図面の簡単な説明】
【０００７】
【図１】（Ａ）本発明であるペーパーケースホルダーの外観図である
【図１】（Ｂ）本発明の説明的外観図である
【図２】（Ａ）本発明に係る使用時の状態を示す外観図である
【図２】（Ｂ）本発明に係る使用時の状態を示す断面図である
【符号の説明】
【０００８】  １    支持基材
１ａ  支持基材
２    フック状掛止部
３    吸盤
４    軸
【図１】
2005305054.tif 000003
【図２】
2005305054.tif 000004
(57)【要約】【課題】  従来、家庭ではベランダや庭先にサンダルを置くものの、野ざらしの状態で、雨風により汚れ放題だった。また、従来のサンダル収納箱は、上から被せるだけのもので、サンダルをしまう為だけのもので、着脱時や段差の大きい場所等では使用しにくかった。【解決手段】  箱型のものにサンダルを収納することで雨風による汚れの付着を防ぎ、長さ調節のできる引っ張り棒を取り付けたことで段差の大きな場所でも設置、使用が可能である。【選択図】  図１
2005305004.tif 000002
【特許請求の範囲】
【請求項１】
引っ張り棒を利用した、段差の大きい場所でも利用できるサンダル収納箱。
【請求項２】
カバー上部に突起を設けることで、雨や雪が溜まりにくくなっている横置きのサンダル収納箱。
【請求項３】
サンダルの下に台座を設けることで、より雨等に触れにくい横置きのサンダル収納箱。
【請求項４】
収納箱内に、支え板を設けサンダルを立てて固定して置ける縦置きのサンダル収納箱。
【発明の詳細な説明】
【技術分野】
【０００１】
本発明は、家庭での屋外履きの横置きと縦置きのサンダル収納箱に関する。
【背景技術】
【０００２】
従来は、ベランダや庭先に野ざらしにされており、雨風で汚れ放題だった。
【０００３】
また、サンダルの上から箱型のものを被せるだけだった（例えば特許文献１〜特許文献３参照）。
【特許文献１】特開２００３−１６９７２１号公報
【特許文献２】実用登録３０６２６０１号公報
【特許文献３】実用登録３０４６４０５号公報
【発明の開示】
【発明が解決しようとする課題】
【０００４】
以上に述べたサンダル収納箱は、サンダルを履く度にどかし、また被せなければならず、庭先など段差の大きい場所では特に使用しづらい。
【０００５】
また、箱の上に雨や雪が溜まりやすい。
【課題を解決するための手段】
【０００６】
そして本発明の横置きサンダル収納箱は、上記目的を達成するために、突起を設けたカバーと高さのある台座を組み合わせたものである。
【０００７】
また、カバー側面に引っ張り棒を取り付け、長さを調節できる。
【０００８】
そして本発明の縦置きサンダル収納箱は、箱の天部を斜めにした。
【０００９】
また、箱内部に支え板を設けた。
【発明の効果】
【００１０】
上述したように本発明のサンダル収納箱は、雨風によるサンダルへの汚れの付着を防ぐとともに、収納箱に雨や雪が溜まりにくいサンダル収納箱である。
【００１１】
また、カバー側面に引っ張り棒が取り付けてあり、長さ調節ができるため段差を気にせず設置、使用できる。
【発明を実施するための最良の形態】
【００１２】
以下、本発明の実施の形態を図１〜図８に基づいて説明する。
【００１３】
図１において、台座２を覆う形でカバー１を組み合わせてあり、カバー１の上部に突起４を設けてある。
【００１４】
またカバー１の側面後側に、引っ張り棒固定具６を取り付け、中に引っ張り棒３を設置した。
【００１５】
前面カバー８は、台座２と同じ高さで８ａ，８ｂ二つを合わせたものである。
【００１６】
よって、引っ張り棒３を引き上げた際、前面カバー８は台座２と同じ高さで折れ曲がる。
【００１７】
図２において、台座２の上部には囲い５を設けた。
【００１８】
図３、図４において、引っ張り棒３の調節穴９ｂをピン７で支え、それを支点に上下、前後に引っ張り棒３を上下、前後に動かせる。
【００１９】
図７において、裏面１４上部から支え板１５を設け、差し込み穴１７に差した支え棒１６によって支え板の角度を変えられる。
【００２０】
図８において、表面１２から裏面１４に向かって天面を斜めにする。
【００２１】
以下、上記構成を説明する。引っ張り棒３の長さを調節し、ベランダや庭先に設置する。引っ張り棒３を引き上げカバー１を開けサンダルを履く。また、脱ぐときも同様に行うことで汚れを防ぐとともにどこでも容易に収納できる。
【図面の簡単な説明】
【００２２】
【図１】横置き収納箱の斜視図
【図２】図１の台座の斜視図
【図３】図１の側面図
【図４】図１の引っ張り棒固定具の断面図
【図５】縦置き収納箱の斜視図
【図６】図５を広げた際の側面図
【図７】図５の裏面側の斜視図
【図８】図５の表面側の斜視図
【符号の説明】
【００２３】
1  カバー
2  台座
3  引っ張り棒
4  突起
5  囲い
6  引っ張り棒固定具
7  ピン
8  前面カバー
9  調節穴
10  調節棒
11  ネジ
12  表面
13  天面
14  裏面
15  支え板
16  支え棒
17  差し込み穴
【図１】
2005305004.tif 000003
【図２】
2005305004.tif 000004
【図３】
2005305004.tif 000005
【図４】
2005305004.tif 000006
【図５】
2005305004.tif 000007
【図６】
2005305004.tif 000008
【図７】
2005305004.tif 000009
【図８】
2005305004.tif 000010
(57)【要約】  【課題】小学校の児童の算数教育において、数の概念の掛け算に関し、九九は絶対にマスターして完全に覚えなければならない。従って、具体的又は抽象的あらゆる方法が必要である。この数の概念を育成する適切な教具の開発を課題とする。  【解決手段】教材として積木を用い、且つ対数関数の原理により積は和で表現出来るので、積木駒を重ねることにより、その高さで掛け算の値を示すことができ、遊びの心で積木を用い、掛け算九九が覚えられ、児童の算数教育に役立つ物と確信する。  【選択図】図３
2005305002.tif 000002
【特許請求の範囲】
【請求項１】
直方体の各面に数字を表示した積木駒で、駒の一方向（高さ）は表示した数字に比例した対数的目盛の寸法、他の直角二方向は一定の寸法とした、この積木駒を利用する掛け算九九学習用積木
【発明の詳細な説明】
【技術分野】
【０００１】
本発明は、主として小学校等における算数教育の補助教材として使用する掛け算九九の学習教材に関する。
【背景技術】
【０００２】
従来の技術としては、小学校の算数教育用学習具は種々のものがある。例えば、円板の回転により掛け算九九を行うもの（特許文献１）、積木を積み重ねて数の和、面積などを表現する積木遊技具（特許文献２）等々がある。
【特許文献１】特開２００３−０６６８２７号公報  回転式九九指導教具
【特許文献２】実開平７−３７２９６号公開  積木遊技具
【発明の開示】
【発明が解決しようとする課題】
【０００３】
小学校の算数教育の重点の一つに掛け算九九がある。児童に掛け算の概念を具体的又は抽象的に教育する一助として適切な学習具の開発を課題とする。
【課題を解決するための手段】
【０００４】
先ず、数学の対数関数に注目し、（数１）に示す通り、対数では積を和として表現出来るので、これを一つの解決手段とし、又積木駒の各面に数字を表示し、駒の高さ方向のみ対数目盛に比例した寸法とし、これを二つ重ねその駒の表示してある数字の積が駒の高さの対数値となる。即ち、二つの積木駒の高さでこの二つの数字の掛け算値が表現出来ることになる。
【発明の効果】
【０００５】
本発明は、積木駒を積み重ねることで加え算と同じ考えで掛け算が出来、児童の算数の考えに新しい概念と積木の遊び心により楽しい九九の勉強が出来るものと確信する。
【発明を実施するための最良の形態】
【０００６】
本発明を実施するに当たり、積木の駒は一般に直方体とし、各面にそれぞれの数字を表示する。直角２方向は一定の寸法とし、他の１方向（高さ）は各々の面に表示してある数字に対応した対数値に比例した寸法とする。例えば二つの積木駒を積み重ね、その高さに等しい駒と対応させてその高さが等しければ、その駒の数字が重ねた二つの駒の数字の積である。以下実施例で具体的に述べる。
【実施例１】
【０００７】
図１は数字２の駒を示す。駒の直角２方向は、ａ及びｂであり各駒とも同一である。高さは２の常用対数の値に定数ｋを掛けた値である。
図２は一般の数字Ｎの駒を示す。図３は掛け算の例として、２と４の積が８であることを示した図である。
【０００８】
【数１】
2005305002.tif 000003
【図面の簡単な説明】
【０００９】
【図１】数字２の積木の駒
【図２】一般数字Ｎの積木の駒
【図３】掛け算を示す例、２と４の積は８であることを示す
【図１】
2005305002.tif 000004
【図２】
2005305002.tif 000005
【図３】
2005305002.tif 000006
(57)【要約】【課題】乗り場ドア幅に関係なく、ドア幅を容易に切替えることができるエレベータドア装置を提供する。【解決手段】乗りかご１にドア２ａ，２ｂ，２ｃと運転盤３とを備えたエレベータ装置において、前記運転盤３に、前記ドア２ａ，２ｂ，２ｃの開扉幅を設定する切替えスイッチ４を備えたことにより達成される。【選択図】図１
2005170659.tif 000002
【特許請求の範囲】
【請求項１】
乗りかごにドアと運転盤とを備えたエレベータ装置において、前記運転盤に、前記ドアの開扉幅を設定する切替えスイッチを備えたことを特徴とするエレベータドア装置。
【請求項２】
前記切替えスイッチにより設定される開扉幅は、ドアパネルごとに開扉することを備えたことを特徴とする請求項１記載のエレベータドア装置。  
【発明の詳細な説明】
【技術分野】
【０００１】
本発明は、エレベータドア装置に関する。
【背景技術】
【０００２】
一般的にエレベータ装置では、乗り場ドアとかごドアを同じ幅にし、複数の乗り場が同じドア幅となっている。また、乗り場ドア幅が各階床ごとに異なっていても、乗り場ドアに合わせたドア幅で開扉している（特許文献１参照。）。
【特許文献１】特開２００１−２２６０５９公報（段落番号０００７〜００２０、図１〜６）
【発明の開示】
【発明が解決しようとする課題】
【０００３】
上記従来技術においては、乗客の乗降りが少ない階床でも、乗り場ドアに合わせたドア幅で開扉していた。このため、乗客の乗降りに必要なスペース以上開扉するため、ドア開閉時間が余分に掛かり運転効率が悪く、消費電力も増える構成となっていた。
【０００４】
本発明の目的は、乗り場ドアに合わせることなく、運転盤に設けたスイッチにて容易にドア開扉幅を調整できるエレベータドア装置を提供するにある。
【課題を解決するための手段】
【０００５】
上記目的は、乗りかごにドアと運転盤とを備えたエレベータ装置において、前記運転盤に、前記ドアの開扉幅を設定する切替えスイッチを備えたことにより達成される。
【発明の効果】
【０００６】
本発明は以上のように、乗客がエレベータの使用状況に応じてドア開扉幅を変更できるため、ドアの開閉時間が短くでき、運転効率が良くなる。また、消費電力も少なくなり、より良いサービスを提供できる。
【発明を実施するための最良の形態】
【０００７】
以下、本発明の実施形態を図面を用いて説明する。
【０００８】
図１は本発明の一実施形態になるエレベータの制御系統図、図２は制御動作図、図３はドア開扉幅切替えスイッチ図、図４はドア開扉状態図、  図５はかごドア構造図、図６はかごドア開扉用ブラケット取付図、図７はかごドア閉扉用ブラケット取付図である。
【０００９】
図において、１は乗りかご、２ａ〜ｃはかごドア、３はかご内運転盤、４は開扉幅切替えスイッチ、５はドアハンガー、６はドアリンク機構、７は開扉用ブラケット受け、８は開扉用ブラケット、９は閉扉用ブラケット、１０は閉扉用ブラケット受け、１１はドアモータ、１２はドアモータ制御装置、１３は開扉幅切替え選択装置である。
【００１０】
本実施例では、図１のかご内運転盤３に設けられたドア開扉幅切替えスイッチ４を図３の（１）〜（３）に操作することにより、図２の流れに沿って開扉幅切替え選択装置１３が開扉幅を選択しドアモータ制御装置１２からドアモータ１１に動作指令を出し、図４の（ｂ）〜（ｄ）のようにかごドアをパネルごとに動作させドア開扉幅を切替える。
【００１１】
かごドアの開閉構造としては、図５のかごドアパネル２ａがドアモータ１１と連動してドアモータ制御装置により設定されたドア幅だけ開扉する。その時、図６のかごドア２ａのドアハンガー５ａに設けている開扉用ブラケット８が、かごドア２ｂのドアハンガー５に設けている開扉用ブラケット受け７に接触しドア２ｂを開扉させる。
【００１２】
上記構造により、かごドア２ａのみ開扉したり、かごドア２ａ，２ｂのみ開扉することが可能となる。また、閉扉時は図７のかごドア２ａに設けている閉扉用ブラケット９と閉扉用ブラケット受け１０により開扉時と同様に閉扉する。
【００１３】
本実施例は、貨物用エレベータなどのドア幅が大きいエレベータに少人数の乗客が降りる時、かご内運転盤に設けられたドア開扉幅切替えスイッチ４を操作することにより、通常のドア開扉幅から切替えたドア開扉幅に切替わり、ドア開時間を短縮できる。また、スイッチ４を元に戻すことにより、通常のドア開扉幅となる。また、ドア開扉切替えスイッチ４をホールに設けることにより、乗客がエレベータに乗る時もドア幅を調整できる。
【００１４】
本実施の形態では、乗客がエレベータの使用状況に応じてドア開扉幅を変更できるため、ドア開閉時間を短縮でき、消費電力も少なくなりより良いサービスを提供することができる。
【図面の簡単な説明】
【００１５】
【図１】本発明の一実施形態になるエレベータ制御系統図である。
【図２】本発明の一実施形態になるエレベータドア開扉幅切替え動作図である。
【図３】本発明の一実施形態になるドア開扉幅切替えスイッチ図である。
【図４】本発明の一実施形態になるドア開扉状態図である。
【図５】本発明の一実施形態になるかごドア構造図である。
【図６】本発明の一実施形態になるかごドア開扉用ブラケット取付図である。
【図７】本発明の一実施形態になるかごドア閉扉用ブラケット取付図である。
【符号の説明】
【００１６】
１  乗りかご
２ａ・ｂ・ｃ  かごドア  
３  かご内運転盤
４  ドア開扉幅切替えスイッチ
５  ドアハンガー
６  ドアリンク
７  ドア開扉用ブラケット受け
８  ドア開扉用ブラケット
９  ドア閉扉用ブラケット
１０  ドア閉扉用ブラケット受け
１１  ドアモータ
１２  ドアモータ制御装置
１３  開扉幅切替え選択装置
【図１】
2005170659.tif 000003
【図２】
2005170659.tif 000004
【図３】
2005170659.tif 000005
【図４】
2005170659.tif 000006
【図５】
2005170659.tif 000007
【図６】
2005170659.tif 000008
【図７】
2005170659.tif 000009